(57)【特許請求の範囲】
【請求項１】
尿メーター（４０）であって、該尿メーターは、入口（１６）と出口（２０）とを含むハウジング（１４）を有し、
該ハウジング（１４）は、第１の測定チャンバー（２４）と第２の測定チャンバー（２６）とをさらに含み、該第１のチャンバーと該第２のチャンバーとは、該入口（１６）に進入する液体が、該第２の測定チャンバー（２６）に通る前に、該第１の測定チャンバー（２４）に進入するように配列されており、
該ハウジング（１４）は、該第１の測定チャンバー（２４）と該第２の測定チャンバー（２６）との間に逆止弁（４２）をさらに提供され、該逆止弁は、使用中、該第２の測定チャンバー（２６）から該第１の測定チャンバー（２４）への液体の流れを防ぐ、尿メーター（４０）。
【請求項２】
前記逆止弁（４２）は、前記第１のチャンバー（２４）と前記第２のチャンバー（２６）との間に流体連絡を可能にするために、開放状態へ付勢され、該チャンバー（２４、２６）間の流体連絡を防ぐために、該第２のチャンバー（２６）内に存在する液体の作用によって閉鎖状態へと押し進められる、請求項１に記載の尿メーター（４０）。
【請求項３】
前記逆止弁（４２）が、重力によって前記開放状態へ付勢される、請求項２に記載の尿メーター（４０）。
【請求項４】
前記逆止弁（４２）は、前記第１のチャンバー（２４）を前記第２のチャンバー（２６）と分離する、前記ハウジング（１４）の内部隔壁（３２、３２ａ、３２ｂ）内に提供される、請求項１〜３のいずれかに記載の尿メーター（４０）。
【請求項５】
前記逆止弁（４２）は、前記内部隔壁（３２ａ）に取り付けられている弁部材（５４）と、該内部隔壁（３２ａ）を通って延長し、かつ前記第１の測定チャンバー（２４）と前記第２の測定チャンバー（２６）との間に流体連絡チャンネルを規定する少なくとも１つのアパーチャ（５２）とを含む、請求項４に記載の尿メーター（４０）。
【請求項６】
前記弁部材（５４）は、ステム（５６）とヘッド（５８）とを含み、該ヘッド（５８）は、密閉表面（６０）を規定し、該密閉表面は、前記少なくとも１つのアパーチャ（５２）を閉鎖するために、前記内部隔壁（３２ａ）と接触するように移動可能である、請求項５に記載の尿メーター（４０）。
【請求項７】
前記密閉表面（６０）は、環状の密閉表面である、請求項６に記載の尿メーター（４０）。
【請求項８】
前記弁部材（５４）の前記ステム（５６）が、前記内部隔壁（３２ａ）のアパーチャ（５０）内で受け取られる、請求項６または７に記載の尿メーター（４０）。
【請求項９】
前記弁部材（５４）は、該弁部材（５４）の前記ヘッド（５８）と、該弁部材（５４）の前記ステム（５６）上の構造物（６６）とによって、前記内部隔壁（３２ａ）の前記アパーチャ（５０）内に保持される、請求項８に記載の尿メーター（４０）。
【請求項１０】
前記弁部材（５４）の前記ステム（５６）上の前記構造物（６６）は、該弁部材（５４）が前記内部隔壁（３２ａ）の前記アパーチャ（５０）に適合されることを可能にするように弾性的に変形可能である、請求項９に記載の尿メーター（４０）。
【請求項１１】
前記内部隔壁（３２ａ）は、複数のアパーチャ（５２）を提供され、該複数のアパーチャは、該内部隔壁（３２ａ）を通って延長し、かつ前記第１の測定チャンバー（２４）と前記第２の測定チャンバー（２６）との間に流体連絡チャンネルを規定する、請求項５〜１０のいずれかに記載の尿メーター（４０）。
【請求項１２】
前記ハウジング（１４）は、第３の測定チャンバー（２８）を含み、該第３の測定チャンバーは、使用中、前記第２のチャンバー（２６）から液体を受け取り、該ハウジング（１４）は、該第２の測定チャンバー（２６）と該第３の測定チャンバー（２８）との間にさらなる逆止弁（４２）を提供され、該さらなる逆止弁は、使用中、該第３の測定チャンバー（２８）から該第２の測定チャンバー（２６）への液体の流れを防ぐ、請求項１〜１１のいずれかに記載の尿メーター（４０）。
【請求項１３】
前記第２の測定チャンバー（２６）と前記第３の測定チャンバー（２８）との間に提供された前記さらなる逆止弁（４２）は、前記ハウジング（１４）内に、前記第１の測定チャンバー（２４）と該第２の測定チャンバー（２６）との間に提供された前記逆止弁（４２）より低く位置決めされている、請求項１２に記載の尿メーター（４０）。
【発明の詳細な説明】
【技術分野】
【０００１】
本発明は、尿メーターに関し、特にカテーテルを挿入された患者からの尿の流れを監視するための尿メーターに関する。
【背景技術】
【０００２】
図１は、概して１０で示される公知の尿メーターと、尿収集バッグ１２とを示す。尿メーター１０は、入口１６を提供されるハウジング１４を含み、入口１６は、入口導管１８を有する。入口導管は、使用中、患者の尿カテーテルに接続可能である。ハウジング１４は、出口２０をさらに提供され、出口２０が、出口導管２２によって収集バッグ１２に接続される。ストラップ３０が、尿メーター１０上に提供され、メーター１０および収集バッグ１２の両方が適切な支持器に取り付けられることを可能にする。支持器は、例えば、患者ベッドのレールであり得る。
【０００３】
ハウジング１４は、第１の測定チャンバー２４、第２の測定チャンバー２６、および第３の測定チャンバー２８をさらに規定する。示される尿メーター１０について、第１の測定チャンバー２４は、１００ミリリットルの容積を有し、第２の測定チャンバー２６は、２００ミリリットルの容積を有し、第３の測定チャンバー２８は、２００ミリリットルの容積を有する。ハウジング１４が、透明のプラスチック材料、例えば、スチレンブタジエンコポリマーから形成される。１つのそのような適切な材料は、Ｋ−ＲｅｓｉｎＲＴＭＳＢＣである。各測定チャンバー２４、２６、２８の内部が、ハウジング１４を通って視認可能であり、各チャンバー２４、２６、２８は、各チャンバー２４、２６、２８内の液体の体積が測定されることを可能にする目盛りで印を付けられる。第１のチャンバー２４が、０ｍｌから１００ｍｌまでの目盛りで印を付けられ、第２のチャンバー２６が、１００ｍｌから３００ｍｌまでの目盛りで印を付けられ、第３のチャンバーが、３００ｍｌから５００ｍｌまでの目盛りで印を付けられている。第１のチャンバー２４は、チャンバー２４と２６との間に堰を規定するハウジング１４の内壁３２によって、第２のチャンバー２６と分離される。第２のチャンバー２６は、同様に、チャンバー２６と２８との間に堰を規定するハウジング１４のさらなる内壁３４によって、第３のチャンバー２８と分離される。
【０００４】
ハウジング１４は、入口１６を通ってメーター１０に進入する液体が最初に第１のチャンバー２４内に流れるように構成されている。一旦、第１のチャンバー２４が充填されると、入ってくる液体は、第１のチャンバー２４と第２のチャンバー２６とを分離する壁３２によって規定される堰を越えて、第２のチャンバー２６内に流出する。一旦、第２のチャンバー２６が充填されると、入ってくる液体は、第２のチャンバー２６と第３のチャンバー２８とを分離する壁３４によって規定される堰を越えて、第３のチャンバー２８内に流出する。尿メーター１０は、オーバーフロー導管３６をさらに提供され、オーバーフロー導管３６は、第３のチャンバー２８を出口２０に接続する。第１のチャンバー２４、第２のチャンバー２６、および第３のチャンバー２８が充填された場合には、余分の液体が、オーバーフロー導管３６を通って出口２０へ導かれる。
【０００５】
メーター１０は、排水タップ３８をさらに提供され、排水タップ３８が、ハウジング１４の下部領域に設置されている。排水タップ３８は、チャンバー２４、２６、２８が出口２０と流体連絡して配置されることを可能にし、それによって、チャンバー２４、２６、２８内に存在する液体が収集バッグ１２へ排水されることを可能にする。排水タップ３８は、チャンバー２４、２６、２８の連続した排水を可能にするように構成されている。
【０００６】
図１の尿メーター１０の欠点の１つは、メーター１０が、傾けられるかまたは揺らされる場合（例えば、メーター１０が動かされるとき）において、液体が、チャンバー分離壁３２、３４を乗り越えることによってチャンバー２４、２６、２８間を移動し得る。このことは、結果として、メーター１０が不正確な読み取りを提供することをもたらし得る。
【発明の概要】
【課題を解決するための手段】
【０００７】
本発明に従って、入口と出口とを含むハウジングを有する尿メーターが提供され、ハウジングは、第１の測定チャンバーと第２の測定チャンバーとをさらに含み、第１のチャンバーと第２のチャンバーとは、入口に進入する液体が、第２の測定チャンバーに通る前に、第１の測定チャンバーに進入するように配列されており、ハウジングは、第１の測定チャンバーと第２の測定チャンバーとの間に逆止弁をさらに提供され、逆止弁は、使用中、第２の測定チャンバーから第１の測定チャンバーへの液体の流れを防ぐ。
【０００８】
逆止弁は、第１のチャンバーと第２のチャンバーとの間の流体連絡を可能にするために、開放状態へ付勢され得、チャンバー間の流体連絡を防ぐために、第２のチャンバー内に存在する液体の作用によって閉鎖状態へ押され得る。このような実施形態において、逆止弁が、重力によって開放状態へ付勢され得る。逆止弁は、第２のチャンバーに含まれる液体の衝突によって閉鎖状態へ押され得る。このような衝突は、メーターの動きから生じる第２のチャンバー内の液体のスロッシングの結果として発生し得る。逆止弁は、逆止弁の一部分の浮力に起因して、閉鎖状態へ押され得る。このような実施形態において、逆止弁は、液体の上昇する自由表面によって閉鎖位置へ押され得る。
【０００９】
逆止弁は、第１のチャンバーを第２のチャンバーから分離するハウジングの内部隔壁内に提供される。逆止弁は、内部隔壁に取り付けられている弁部材と、内部隔壁を通って延長し、かつ第１の測定チャンバーと第２の測定チャンバーとの間に流体連絡チャンネルを規定する少なくとも１つのアパーチャとを含み得る。このような実施形態において、弁部材は、ステムとヘッドとを含み得、ヘッドは、密閉表面を規定し、密閉表面が、少なくとも１つのアパーチャを閉鎖するために、内部隔壁と接触するように移動可能である。密閉表面は、環状の密閉表面であり得る。
【００１０】
弁部材のステムが、内部隔壁のアパーチャ内で受け取られ得る。このような実施形態において、弁部材は、弁部材のヘッドと、弁部材のステム上の構造物とによって、内部隔壁のアパーチャ内に保持され得る。弁部材のステム上の構造物は、弁部材が内部隔壁のアパーチャに適合されることを可能にするように弾性的に変形可能である。内部隔壁は、複数のアパーチャを提供され、複数のアパーチャは、内部隔壁を通って延長し、かつ第１の測定チャンバーと第２の測定チャンバーとの間に流体連絡チャンネルを規定する。
【００１１】
代替的な実施形態において、ハウジングは、第３の測定チャンバーを含み、第３の測定チャンバーは、使用中、第２のチャンバーから液体を受け取り、ハウジングは、第２の測定チャンバーと第３の測定チャンバーとの間にさらなる逆止弁を提供され、逆止弁は、使用中、第３の測定チャンバーから第２の測定チャンバーへの液体の流れを防ぐ。このような実施形態において、逆止弁が、前述された２つのチャンバーの実施形態を参照して説明された逆止弁と同じ構成および動作特徴を有し得ることが理解される。
【００１２】
このような実施形態において、さらなる逆止弁が、好ましくは、ハウジング内に、第１の逆止弁より低く位置決めされる。このことは、液体が、第１の測定チャンバーと第２の測定チャンバーとの間に提供された逆止弁の閉鎖の前に、第２の測定チャンバーから第３の測定チャンバーへ流れることが可能であることを確実にする。
【００１３】
例えば、本発明は、以下を提供する。
（項目１）
尿メーター（４０）であって、該尿メーターは、入口（１６）と出口（２０）とを含むハウジング（１４）を有し、
該ハウジング（１４）は、第１の測定チャンバー（２４）と第２の測定チャンバー（２６）とをさらに含み、該第１のチャンバーと該第２のチャンバーとは、該入口（１６）に進入する液体が、該第２の測定チャンバー（２６）に通る前に、該第１の測定チャンバー（２４）に進入するように配列されており、
該ハウジング（１４）は、該第１の測定チャンバー（２４）と該第２の測定チャンバー（２６）との間に逆止弁（４２）をさらに提供され、該逆止弁は、使用中、該第２の測定チャンバー（２６）から該第１の測定チャンバー（２４）への液体の流れを防ぐ、尿メーター（４０）。
（項目２）
上記逆止弁（４２）は、上記第１のチャンバー（２４）と上記第２のチャンバー（２６）との間に流体連絡を可能にするために、開放状態へ付勢され、該チャンバー（２４、２６）間の流体連絡を防ぐために、該第２のチャンバー（２６）内に存在する液体の作用によって閉鎖状態へと押し進められる、上記項目に記載の尿メーター（４０）。
（項目３）
上記逆止弁（４２）が、重力によって上記開放状態へ付勢される、上記項目のいずれかに記載の尿メーター（４０）。
（項目４）
上記逆止弁（４２）は、上記第１のチャンバー（２４）を上記第２のチャンバー（２６）と分離する、上記ハウジング（１４）の内部隔壁（３２、３２ａ、３２ｂ）内に提供される、上記項目のいずれかに記載の尿メーター（４０）。
（項目５）
上記逆止弁（４２）は、上記内部隔壁（３２ａ）に取り付けられている弁部材（５４）と、該内部隔壁（３２ａ）を通って延長し、かつ上記第１の測定チャンバー（２４）と上記第２の測定チャンバー（２６）との間に流体連絡チャンネルを規定する少なくとも１つのアパーチャ（５２）とを含む、上記項目のいずれかに記載の尿メーター（４０）。
（項目６）
上記弁部材（５４）は、ステム（５６）とヘッド（５８）とを含み、該ヘッド（５８）は、密閉表面（６０）を規定し、該密閉表面は、上記少なくとも１つのアパーチャ（５２）を閉鎖するために、上記内部隔壁（３２ａ）と接触するように移動可能である、上記項目のいずれかに記載の尿メーター（４０）。
（項目７）
上記密閉表面（６０）は、環状の密閉表面である、上記項目のいずれかに記載の尿メーター（４０）。
（項目８）
上記弁部材（５４）の上記ステム（５６）が、上記内部隔壁（３２ａ）のアパーチャ（５０）内で受け取られる、上記項目のいずれかに記載の尿メーター（４０）。
（項目９）
上記弁部材（５４）は、該弁部材（５４）の上記ヘッド（５８）と、該弁部材（５４）の上記ステム（５６）上の構造物（６６）とによって、上記内部隔壁（３２ａ）の上記アパーチャ（５０）内に保持される、上記項目のいずれかに記載の尿メーター（４０）。
（項目１０）
上記弁部材（５４）の上記ステム（５６）上の上記構造物（６６）は、該弁部材（５４）が上記内部隔壁（３２ａ）の上記アパーチャ（５０）に適合されることを可能にするように弾性的に変形可能である、上記項目のいずれかに記載の尿メーター（４０）。
（項目１１）
上記内部隔壁（３２ａ）は、複数のアパーチャ（５２）を提供され、該複数のアパーチャは、該内部隔壁（３２ａ）を通って延長し、かつ上記第１の測定チャンバー（２４）と上記第２の測定チャンバー（２６）との間に流体連絡チャンネルを規定する、上記項目のいずれかに記載の尿メーター（４０）。
（項目１２）
上記ハウジング（１４）は、第３の測定チャンバー（２８）を含み、該第３の測定チャンバーは、使用中、上記第２のチャンバー（２６）から液体を受け取り、該ハウジング（１４）は、該第２の測定チャンバー（２６）と該第３の測定チャンバー（２８）との間にさらなる逆止弁（４２）を提供され、該さらなる逆止弁は、使用中、該第３の測定チャンバー（２８）から該第２の測定チャンバー（２６）への液体の流れを防ぐ、上記項目のいずれかに記載の尿メーター（４０）。
（項目１３）
上記第２の測定チャンバー（２６）と上記第３の測定チャンバー（２８）との間に提供された上記さらなる逆止弁（４２）は、上記ハウジング（１４）内に、上記第１の測定チャンバー（２４）と該第２の測定チャンバー（２６）との間に提供された上記逆止弁（４２）より低く位置決めされている、上記項目のいずれかに記載の尿メーター（４０）。
【００１４】
（摘要）
本発明は、入口（１６）と出口（２０）とを含むハウジング（１４）を有する尿メーター（４０）を提供する。ハウジング（１４）は、第１の測定チャンバー（２４）と第２の測定チャンバー（２６）とをさらに含み、第１のチャンバーと第２のチャンバーとは、入口（１６）に進入する液体が、第２の測定チャンバー（２６）に通る前に、第１の測定チャンバー（２４）に進入するように配列されている。ハウジング（１４）は、第１の測定チャンバー（２４）と第２の測定チャンバー（２６）との間に逆止弁（４２）をさらに提供され、逆止弁は、使用中、第２の測定チャンバー（２６）から第１の測定チャンバー（２４）への液体の流れを防ぐ。
【００１５】
本発明の実施形態が、添付の図面を参照してここで説明される。
【図面の簡単な説明】
【００１６】
【図１】図１は、公知の尿メーターおよび収集バッグを示す。
【図２】図２は、本発明に従う尿メーターの断面図を示す。
【図３】図３は、図２の尿メーターの逆止弁の断面図を示し、この弁は開放位置にある。
【図４】図４は、図２の尿メーターの逆止弁の断面図を示し、この逆止弁は閉鎖位置にある。
【図５】図５は、逆止弁の斜視図を示す。
【図６】図６は、弁部材の斜視図を示す。
【図７】図７は、弁部材が取り外された状態の逆止弁の斜視図を示す。
【発明を実施するための形態】
【００１７】
（実施形態の説明）
ここで、図２〜７を参照して、概して４０で指定された、本発明に従う尿メーターが示される。図１を参照して説明された尿メーター１０と共通の特徴が、同様の参照数字で識別される。
【００１８】
図２は、図１に示される側の反対側から見られた尿メーター４０のハウジング１４の断面図を示す。メーター４０のハウジング１４は、概して４２で指定された逆止弁が、それぞれ、第１のチャンバー２４と第２のチャンバー２６との間と、第２のチャンバー２６と第３のチャンバー２８との間とに提供されているという点で、図１を参照して説明されたハウジングとは異なる。各逆止弁４２が、壁３２、３４の延長部に提供され、壁３２および３４は、それぞれ、第１のチャンバー２４と第２のチャンバー２６とを、そして、第２のチャンバー２６と第３のチャンバー２８とを分離する。
【００１９】
最初に、第１のチャンバー２４と第２のチャンバー２６とを分離する壁３２を考察すると、図１のメーター１０の壁３２の上部エッジが、破線４４によって示される。本発明のメーター４０において、壁３２がハウジング１４の基部壁４５から頂部壁４６までハウジング１４を完全に横切って延長するように、壁３２が延長される。壁３２が、概して４８で指定される延長部によって延長される。延長部４８は、第１の部分３２ａを含み、第１の部分３２ａが、壁３２の主要部分の平面に実質的に垂直な平面上にある。壁３２は、第２の部分３２ｂによってさらに延長され、第２の部分３２ｂが、第１の部分３２ａの平面に垂直で、かつ壁３２の主要部分の平面に実質的に平行な平面上にある。従って、壁の延長部４８の第１の部分３２ａおよび第２の部分３２ｂは、壁３２においてステップを規定する。
【００２０】
壁の延長部４８の第１の部分３２ａは、逆止弁４２を受け取るように構成されたアパーチャ５０を提供される。アパーチャ５０は、アパーチャ５０内に受け取られたリターン弁の一部分の断面積に対応する任意の断面積を有し得る。壁の延長部４８は、少なくとも１つの第２のアパーチャ５２をさらに含み、少なくとも１つの第２のアパーチャ５２は、逆止弁４２が開放位置にあるときに、流体が少なくとも１つのアパーチャ５２を通って流れ得、逆止弁４２が閉鎖位置にあるときに、流体が少なくとも１つのアパーチャを通って流れることを防がれるように、アパーチャ５０に対して位置決めされる。少なくとも１つの第２のアパーチャは、アパーチャ５０の断面積より小さい断面積を有し得るが、必ずしもそうというわけではない。本発明の１つの実施形態において、壁の延長部４８は、実質的に円形の第１のアパーチャ５０と複数の実質的に円形の第２のアパーチャ５２とを提供される。示される実施形態において、第１のアパーチャ５０は、壁の延長部４８の第１の部分３２ａ上の実質的に中心位置に提供される。示される実施形態において、壁の延長部４８は、６個の第２のアパーチャ５２をさらに提供され、６個の第２のアパーチャ５２は、第１のアパーチャ５０の周りに円形の配列で等距離に間隔を空けられている。第２のアパーチャ５２は、第１のアパーチャ５０の直径より小さい直径を有する。延長部４８が、より多くの数またはより少ない数の第２のアパーチャ５２を提供され得ることが理解される。以下により詳細に説明されるように、第１のアパーチャ５０は、逆止弁４２の弁部材５４を設置し、かつ保持するように役に立ち、その一方で、第２のアパーチャ５２は、弁部材５４に関連して、壁３２を通って延長する流体導管を規定する。
【００２１】
同様の壁の延長部４９が、第２のチャンバー２６と第３のチャンバー２８とを分離する壁３４に提供される。この壁の延長部４９は、同様に、壁３４の主要部分の平面に実質的に垂直の平面上にある第１の部分３４ａを含む。壁３４は、第２の部分３４ｂによってさらに延長され、第２の部分３４ｂが、第１の部分３４ａの平面に実質的に垂直で、かつ壁３４の主要部分の平面に実質的に平行の平面上にある。壁の延長部４９は、複数のより小さい第２のアパーチャによって囲まれた第１のアパーチャを有する、アパーチャの同様なアレイを提供される。第２のチャンバーと第３のチャンバーを分離させる壁３４の上部エッジが、破線４７によって示される。壁３４の上部エッジは、ハウジング１４のトップ壁４６から、第１のチャンバー２４と第２のチャンバー２６を分離させる壁３２の上部エッジより長い距離で間隔を空けられる。これは、第１のチャンバー２４と第２のチャンバー２６との間に提供される逆止弁４２が、ハウジング１４内に、第２のチャンバー２６と第３のチャンバー２８との間に提供される逆止弁４２より高く位置決めされていることをもたらす。
【００２２】
図６は、概して５４に示される、逆止弁４２の弁部材を示す。弁部材５４は、ステム５６とヘッド５８とを含む。弁部材５４のヘッド５８は、逆止弁４２が閉鎖位置にあるときに、全部の第２のアパーチャを覆うのに適切な任意のサイズおよび形状を有し得る。１つの実施形態において、弁部材５４のヘッド５８は、実質的にディスク形であり、環状の、かつ実質的に平坦な密閉表面６０を提供される。ステム５６は、環状の密閉表面６０が、ステム５６がヘッド５８と合う場所の周りに延長するように、ヘッド５８上の実質的に中心位置から延長する。ヘッド５８の反対側が、実質的に円形の面６１を提供される。ステム５６は、第１の概ね円筒形の部分６２、第２の概ね円筒形の部分６４、および第１の概ね円筒形の部分６２と第２の概ね円筒形の部分６４との間に提供された球状部分６６を有する。第１の概ね円筒形の部分６２の直径は、第２の円筒形の部分６４の直径と実質的に等しい。第１の円筒形の部分６２および第２の円筒形の部分６４の直径は、ハウジング１４の壁の延長部４８の第１のアパーチャ５０の直径より小さい。球状部分６６は、円筒形の部分６２、６４および第１のアパーチャ５０の断面積より大きいその最大断面積での静止した直径を有する。球状部分６６は、弾性的に変形可能であり、その結果、その直径が圧縮または伸張によって減らされ得る。弁部材５４が、可撓性プラスチック材料から製造される。
【００２３】
図３、４および６は、ハウジング１４の壁３２の延長部４８に適合された弁部材５４を示す。弁部材５４は、最初にステム５６の第２の円筒形の部分６４を、メーター４０の下流チャンバー２６に面する延長部４８の側から、延長部４８の第１のアパーチャ５０内に挿入することによって、延長部４８に適合される。ステム５６は、球状部分６６が変形し、そしてアパーチャ５０を通過するように、さらに深く、アパーチャ５０内に挿入される。一旦、アパーチャ５０を通過すると、球状部分６６は、その元の形状に戻る。従って、弁部材５４が、アパーチャ５０の１つの側上のステム５６の球状部分６６と、アパーチャ５０のもう１つの側上の弁部材５４のヘッド５８との存在によってアパーチャ５０内に保持されることが理解される。壁の延長部４８の第１の表面と接触する球状部分６６の外径は、少なくとも１つの第２のアパーチャの各々の各最内側ポイントによって規定された周囲の内側断面積より小さく、その結果、球状部分が、第２のアパーチャのうちの少なくとも１つを通る流れを妨害しない。密閉表面６０の断面積は、少なくとも１つの第２のアパーチャの各々の各最外側ポイントによって規定された周囲の外側断面積より大きく、その結果、密閉表面が壁の延長部４８の第２の表面と接触するときに、密閉表面６０が、第２のアパーチャのうちの少なくとも１つを通る流れを中断する。１つの実施形態において、ヘッド５８の密閉表面６０の外径は、第２のアパーチャ５２の円形配列の外径より大きい。
【００２４】
ステム５６の第１の円筒形部分６２の長さは、第１のアパーチャ５０が提供される壁の延長部４８の一部分３２ａの厚さより大きい。従って、弁部材５４が、図３に示される、球状部分６６が第１のアパーチャに接し、かつ密閉表面６０が壁の延長部４８から間隔を空けられる開放位置と、図４に示される、密閉表面６０が壁の延長部４０に接し、かつ球状部分６６が第１のアパーチャ５０から間隔を空けられる閉鎖位置との間に移動することが可能である。
【００２５】
使用中、弁部材５４が、図３に示される開放位置に向かって重力により付勢される。第１の位置において、第２のアパーチャ５２の配列が開放しており、各第２のアパーチャ５２は、壁の延長部４８を通る流体連絡経路を規定する。液体が、矢印６８によって示されるように、上流チャンバー２４から下流チャンバー２６へ通ることを可能にする。液体が、下位チャンバー２６から上位チャンバーへ戻るように流れる場合において、液体は、矢印７０に示されるように、ヘッド５８の円形面６１と接触し、矢印７２に示されるように、弁部材５４を閉鎖位置へ押す。密閉表面６０は、壁の延長部４８の第２の表面に接し、従って第２のアパーチャ５２を閉鎖する。下流チャンバー２６が、壁の延長部４８の第１の部分３２ａのレベルまで充填する結果として、液体が円形面６１と接触するまで入り得る。このような場合において、弁部材５４が、液体における弁部材５４の浮力のために、閉鎖位置へ動かされる。代替的には、下流チャンバー２６が一部分のみ充填される場合において、弁部材５４が、下流チャンバー２６に含まれる液体のスロッシングの結果として閉鎖位置へ押され得る。
【００２６】
前述のように、第１のチャンバー２４と第２のチャンバー２６との間に提供された逆止弁４２は、ハウジング１４内に、第２のチャンバー２６と第３のチャンバー２８との間に提供された逆止弁４２より高いレベルに位置決めされる。尿メーター４０の通常の使用の間に、すなわち、尿メーターがレベルに位置決めされ、かつ例えば、ベッドフレームに安定して取り付けられている場合に、異なる逆止弁の高さは、チャンバー２４、２６、２８が順に充填することを可能にする。第２のチャンバー２６と第３のチャンバー２８を分離させる壁３４の上部エッジが、開放位置において、第１のチャンバー２４と第２のチャンバー２６との間の逆止弁４２の円形面６１によって利用されたレベル以下に提供される。従って、第２のチャンバー２６と第３のチャンバー２８を分離させる壁３４のトップのレベルまで第２のチャンバー２６を充填した際に、第２のチャンバー２６内に導入されるさらなる液体は、第３のチャンバー２８内に流れる。
【００２７】
前述の本発明の実施形態において、尿メーター４０が、３つの測定チャンバー２４、２６、２８を提供される。本発明の逆止弁４２が、２つの測定チャンバーまたは４つ以上の測定チャンバーを有する尿メーターに提供され得ることが理解される。
【図２】
0005318250.tif 000002
【図３】
0005318250.tif 000003
【図４】
0005318250.tif 000004
【図５】
0005318250.tif 000005
【図６】
0005318250.tif 000006
【図７】
0005318250.tif 000007
【図１】
0005318250.tif 000008